(57)【特許請求の範囲】
【請求項１】
内枠と、外枠と、蓋材とを有し、前記内枠は内側に納骨堂を形成し、開閉可能な内側引き戸を正面側に有し、前記外枠は前記内枠の外側に設けられ、開閉可能な外側戸を正面側に有し、前記蓋材は前記内枠および前記外枠の上方を覆うよう設けられており、前記外側戸と前記内側引き戸との間のスペースを収納庫とし、
前記内枠の上方に上部枠を有し、前記上部枠は前記納骨堂の内部を明るくするための明かり窓を有し、前記内枠の上方の蓋材は前記上部枠の上に設けられていることを特徴とする墓。
【請求項２】
前記内側引き戸と前記外側戸との間の距離は前記外側戸の外側から前記納骨堂の内側に手が届く距離であることを特徴とする請求項１記載の墓。
【請求項３】
前記内枠および前記外枠は前記納骨堂に連通する通風孔を有することを特徴とする請求項１または２記載の墓。
【発明の詳細な説明】
【０００１】
【発明の属する技術分野】
本発明は、日本式の墓に関する。
【０００２】
【従来の技術】
従来の一般的な墓としては、矩形枠状に胴石を設け、胴石内に骨堂壁を設けて納骨堂を形成し、納骨堂を骨蓋および墓石で塞ぎ、胴石および骨堂壁の間に土を充填したものが知られている。
【０００３】
また、従来の墓として、特公平８−６５０５号に示すものがある。すなわち、矩形枠状に胴石を設け、胴石内に骨堂壁を設けて納骨堂を形成し、納骨堂を骨蓋および墓石で塞ぎ、胴石および骨堂壁の間に空間を設けてそれらの上に覆い板を固定したものがある。
【０００４】
【発明が解決しようとする課題】
しかしながら、従来の一般的な墓では、納骨などのために納骨堂を開けるには、骨蓋を外さなければならず、納骨などの作業に労力と手数を必要とするという問題点があった。
【０００５】
本発明は、このような問題点に着目してなされたもので、納骨を容易にする墓を提供することを目的としている。
【０００６】
【課題を解決するための手段】
上記目的を達成するために、請求項１の本発明に係る墓は、内枠と、外枠と、蓋材とを有し、前記内枠は内側に納骨堂を形成し、開閉可能な内側引き戸を正面側に有し、前記外枠は前記内枠の外側に設けられ、開閉可能な外側戸を正面側に有し、前記蓋材は前記内枠および前記外枠の上方を覆うよう設けられており、前記外側戸と前記内側引き戸との間のスペースを収納庫とし、前記内枠の上方に上部枠を有し、前記上部枠は前記納骨堂の内部を明るくするための明かり窓を有し、前記内枠の上方の蓋材は前記上部枠の上に設けられていることを特徴とする。
【０００７】
内枠または外枠は、平面形状が長方形であっても、正方形であってもよい。外枠は、側面板が正面側に突出して柵を構成していてもよい。また、外枠は、門柱を有していてもよい。蓋材は、１個から成ってもよいが、複数から成ることが好ましい。外枠の上には、袖石が設けられることが好ましい。
【０００８】
請求項１の本発明に係る墓では、引き戸を開ければ、蓋材を外さなくても納骨堂を開けることができ、その開口を通して納骨などの作業を容易にすることができる。
【０００９】
外側戸は、引き戸でも観音開きの開き戸でもよい。
明かり窓は、単なる孔から成っても、孔にガラス板を設けて成ってもよい。明かり窓が孔にガラス板を設けてなる場合には、ガラス板に仏像や梵字などをエッチングしてあってもよい。
請求項１の本発明に係る墓では、上部枠に明かり窓を有するので、明かり窓を通して納骨堂の内部を明るくすることができる。このため、外側戸および内側引き戸を開けたとき、納骨堂の内部を見て、確認することができる。
【００１０】
請求項１の本発明に係る墓では、外側戸および内側引き戸を開ければ、蓋材を外さなくても納骨堂を開けることができ、その開口を通して納骨などの作業を容易にすることができる。また、外側戸と内側引き戸との間のスペースを収納庫として、その中に線香、遺影その他の物を収容することができる。
【００１１】
請求項２の本発明に係る墓は、請求項１記載の墓において、前記内側引き戸と前記外側戸との間の距離は前記外側戸の外側から前記納骨堂の内側に手が届く距離であることを特徴とする。
【００１２】
請求項２の本発明に係る墓では、内側引き戸と外側戸とを開けて外側戸の外側から納骨堂の内側に手を伸ばし、納骨などの作業を容易に行うことができる。
【００１３】
請求項３の本発明に係る墓は、請求項１または２記載の墓において、前記内枠および前記外枠は前記納骨堂に連通する通風孔を有することを特徴とする。
【００１４】
請求項３の本発明に係る墓では、納骨堂に連通する通風孔を有するので、納骨堂の内部の風通しが良くなり、内部を乾燥させることができ、自然に近い状態に保つことができる。
【００１７】
【発明の実施の形態】
以下、図面に基づき本発明の実施の形態について説明する。
図１〜図９は、本発明の実施の形態を示している。
図１〜図９に示すように、墓は、外枠１と、内枠２と、上部枠３と、蓋材４とを有する。外枠１は、２個の側面側胴石１１を並列に配置し、各側面側胴石１１の後端を背面側胴石１２でコの字状に連結し、各側面側胴石１１の前端を正面側支持材１３で連結して成る。内枠２は、２枚の骨堂壁２１を各側面側胴石１１に並列に、外枠１の内側に配置し、各骨堂壁２１の一端を背面側胴石１２に連結して成る。内枠２は、正面側に２枚の正面側平板２２および内側引き戸２３を有する。各正面側平板２２は、各骨堂壁２１に垂直に、互いに間隙をあけて配置されている。図８に示すように、各正面側平板２２の下側には内枠用下側ガイド材２４が設けられ、正面側平板２２の上側には内枠用上側ガイド材２５が設けられている。内側引き戸２３は、内枠用下側ガイド材２４と内枠用上側ガイド材２５との間および正面側平板２２の正面側にスライドして内枠２を開閉可能に設けられている。内枠２は、内側に納骨堂２６を形成する。
【００１８】
外枠１は、内枠２の外側に設けられている。外枠１は、正面側に２枚の正面側平板１４および２枚の外側引き戸１５を有する。各正面側平板１４は、各側面側胴石１１に垂直に、互いに間隙をあけて配置されている。内枠２の正面側平板２２の外側端部と外枠１の正面側平板１４の背面側とは側面側平板１６により連結されている。外枠１の各正面側平板１４の下側には外枠用下側ガイド材１７が設けられ、各正面板の上側には外枠用上側ガイド材１８が設けられている。内枠用下側ガイド材２４と外枠用下側ガイド材１７とは、底板１９で接続されている。内側引き戸２３と外側引き戸１５との間のスペースは、開閉可能な収納庫２７となっている。各外側引き戸１５は、外枠用下側ガイド材１７と外枠用上側ガイド材１８との間および各正面側平板１４の背面側にスライドして収納庫２７を開閉可能に設けられている。
【００１９】
内側引き戸２３と外側引き戸１５との間の距離は、外側引き戸１５の外側から納骨堂２６の内側に手が届く距離である。内枠２および外枠１は、各側面側胴石１１および背面側胴石１２ならびに各骨堂壁２１に、納骨堂２６に連通する通風孔５を有する。外枠１の２個の側面側胴石１１の正面側端部には、それぞれ門柱６が設けられている。各側面側胴石１１および各門柱６の間には、敷石７が設けられている。側面側胴石１１および背面側胴石１２の上部には、袖石８が設けられている。
【００２０】
上部枠３は、４枚の細長い平板３１を角部材３２で枠状に連結して成っている。上部枠３は、袖石８および蓋材４の上に載せられて、内枠２の上方に設けられている。上部枠３は、各平板３１の中央に、納骨堂２６の内部を明るくするための明かり窓３３を有する。蓋材４は、複数個から成り、敷石７の上方を除いて、内枠２および外枠１の上方を覆うよう設けられている。内枠２の上方の蓋材４１は、上部枠３の上に設けられている。袖石８の上部には、柵９が設けられている。
【００２１】
次に、作用について説明する。
図１〜図９に示すように、墓は、外側引き戸１５および内側引き戸２３を開ければ、蓋材４を外さなくても納骨堂２６を開けることができる。墓は、内側引き戸２３と外側引き戸１５とを開け、その開口を通して外側引き戸１５の外側から納骨堂２６の内側に手を伸ばし、納骨などの作業を容易に行うことができる。また、外側引き戸１５と内側引き戸２３との間の収納庫２７のスペースに線香、遺影その他の物を収容することができる。
【００２２】
図１〜図９に示すように、墓は、納骨堂２６に連通する通風孔５を有するので、納骨堂２６の内部の風通しが良くなり、内部を乾燥させることができ、自然に近い状態に保つことができる。また、墓は、上部枠３に明かり窓３３を有するので、明かり窓３３を通して納骨堂２６の内部を明るくすることができる。このため、外側引き戸１５および内側引き戸２３を開けたとき、納骨堂２６の内部を見て、確認することができる。
【００２３】
【発明の効果】
本発明に係る墓によれば、引き戸を開ければ、蓋材を外さなくても納骨堂を開けることができるので、納骨を容易にすることができる。また、内側引き戸と外側戸とを有するので、外側戸と内側引き戸との間のスペースを収納庫として、その中に線香、遺影その他の物を収容することができる。
【図面の簡単な説明】
【図１】本発明の実施の形態の墓の分解斜視図である。
【図２】図１に示す墓の斜視図である。
【図３】図１に示す墓の正面図である。
【図４】図１に示す墓の背面図である。
【図５】図１に示す墓の平面図である。
【図６】図１に示す墓の底面図である。
【図７】図１に示す墓の側面図である。
【図８】図１に示す墓の中央断面図である。
【図９】図１に示す墓の中央断面斜視図である。
【符号の説明】
１  外枠
２  内枠
３  上部枠
４  蓋材
５  通風孔
１５  外側引き戸
２３  内側引き戸
２６  納骨堂
２７  収納庫
３３  明かり窓
【図１】
0003995875.tif 000002
【図２】
0003995875.tif 000003
【図３】
0003995875.tif 000004
【図４】
0003995875.tif 000005
【図５】
0003995875.tif 000006
【図６】
0003995875.tif 000007
【図７】
0003995875.tif 000008
【図８】
0003995875.tif 000009
【図９】
0003995875.tif 000010